(57)【要約】【課題】本体部の摺動時の全ての軸受け部に掛かる摩擦抵抗を略均等にして、光ディスクの記録面と本体部との平行度の長期使用による変化を抑制して、光ディスクの記録面の読み取りや書き込みの性能を長期間良好に維持できる光ピックアップ装置を提供する。【解決手段】光ピックアップ装置は、互いに平行に配列された二本のシャフト８，８と、上記二本のシャフト８，８に摺動可能に取り付けられて一平面上を往復移動する本体部１とを有する。この本体部１は、一方の上記シャフト８に接続する２つの主軸受け部１５，１５と、他方の上記シャフト８に接続する１つの副軸受け部１６とを有する。上記一平面に直交する方向からみて、上記本体部１の重心Ｇ１は、全ての上記軸受け部１５，１６の中心を外形を形成するように結んで形成された軸受け部領域Ｚ１の内側に、位置する。【選択図】図１
2008181576.tif 000002
【特許請求の範囲】
【請求項１】
互いに平行に配列された複数のシャフトと、
上記複数のシャフトに摺動可能に取り付けられて一平面上を往復移動すると共に、上記一平面に対して平行に配置される光ディスクの記録面の読み取りまたは書き込みの少なくとも一方を行う本体部と
を備え、
この本体部は、
上記各シャフトに接続する軸受け部を設けたハウジングと、
このハウジングに取り付けられた光学部品と
を有し、
少なくとも一つの上記シャフトに接続する上記軸受け部は、複数設けられ、
上記一平面に直交する方向からみて、上記本体部の重心は、全ての上記軸受け部の中心を外形を形成するように結んで形成された軸受け部領域の内側に、位置することを特徴とする光ピックアップ装置。
【請求項２】
請求項１に記載の光ピックアップ装置において、
上記シャフトは、二つ設けられ、
一方の上記シャフトに接続する上記軸受け部は、一つ設けられ、
他方の上記シャフトに接続する上記軸受け部は、二つ設けられていることを特徴とする光ピックアップ装置。
【請求項３】
請求項１に記載の光ピックアップ装置において、
上記ハウジングには、上記本体部の重心を上記軸受け部領域の内側に位置するためのウエイト部が設けられていることを特徴とする光ピックアップ装置。
【請求項４】
請求項３に記載の光ピックアップ装置において、
上記ウエイト部は、上記ハウジングとは別体であり、上記ハウジングに取り付けられていることを特徴とする光ピックアップ装置。
【請求項５】
請求項３に記載の光ピックアップ装置において、
上記ウエイト部は、上記ハウジングと一体に連なって形成されていることを特徴とする光ピックアップ装置。
【請求項６】
請求項１に記載の光ピックアップ装置において、
上記ハウジングは、上記本体部の重心を上記軸受け部領域の内側に位置するような厚みを有することを特徴とする光ピックアップ装置。
【請求項７】
請求項１に記載の光ピックアップ装置を有することを特徴とする電子機器。
【発明の詳細な説明】
【技術分野】
【０００１】
この発明は、光磁気ディスクを含む光ディスクの記録面の読み取りや書き込みを行う光ピックアップ装置、および、この光ピックアップ装置を有する電子機器に関する。
【背景技術】
【０００２】
従来、光ピックアップ装置としては、図４に示すように、互いに平行に配列された二本のシャフト１０８，１０８と、上記二本のシャフト１０８，１０８に摺動可能に取り付けられて一平面上を往復移動する本体部１０１とを備えたものがあり、この本体部１０１は、上記一平面に対して平行に配置される（図示しない）光ディスクの記録面の読み取りや書き込みを行う（実開平２−４６９１７号公報：特許文献１参照）。
【０００３】
上記二本のシャフト１０８，１０８の間には、上記本体部１０１に隣接して、上記光ディスクを回転するモータ２が、配置されている。上記モータ２は、このモータ軸２ａを中心として、上記光ディスクを回転する。
【０００４】
上記本体部１０１は、上記各シャフト１０８に接続されたハウジング１１０と、このハウジング１１０に取り付けられた光学部品１１１とを有している。上記ハウジング１１０には、上記光ディスクの記録面に対向するように、対物レンズ１０３が取り付けられている。
【０００５】
上記ハウジング１１０は、一方の上記シャフト１０８に接続する２つの主軸受け部１０５，１０５と、他方の上記シャフト１０８に接続する１つの副軸受け部１０６とを有する。
【０００６】
上記主軸受け部１０５および上記副軸受け部１０６は、機械的制約のために、上記本体部１０１の中心に対して、上記モータ２側へオフセットしている。
【特許文献１】実開平２−４６９１７号公報
【発明の開示】
【発明が解決しようとする課題】
【０００７】
しかしながら、上記従来の光ピックアップ装置では、上記主軸受け部１０５および上記副軸受け部１０６が上記本体部１０１の重心Ｇ０から離隔しており、上記一平面に直交する方向からみて（紙面手前側からみて）、上記本体部１０１の重心Ｇ０は、全ての上記軸受け部１０５，１０６の中心を外形を形成するように結んで形成された（一点鎖線にて示す）軸受け部領域Ｚ０の外側に、位置している。
【０００８】
このため、上記本体部１０１が上記シャフト１０８を摺動するときに、上記全ての軸受け部１０５，１０６に掛かる摩擦抵抗が不均等になり、上記本体部１０１が円滑に摺動できなくなって、上記光ディスクの記録面の読み取りや書き込みのスピードが低下する問題があった。
【０００９】
また、摩擦抵抗が上記全ての軸受け部１０５，１０６において偏って不均一になるため、長期間の使用によって、上記全ての軸受け部１０５，１０６において偏摩耗が発生し、上記光ディスクの記録面（上記一平面）と上記本体部１０１との平行度が変化して、上記光ディスクの記録面の読み取りや書き込みの性能が、悪化する問題があった。
【００１０】
そこで、この発明の課題は、上記本体部の摺動時の上記全ての軸受け部に掛かる摩擦抵抗を略均等にして、上記光ディスクの記録面と上記本体部との平行度の長期使用による変化を抑制して、上記光ディスクの記録面の読み取りや書き込みの性能を長期間良好に維持できる光ピックアップ装置を提供することにある。
【課題を解決するための手段】
【００１１】
上記課題を解決するため、この発明の光ピックアップ装置は、
互いに平行に配列された複数のシャフトと、
上記複数のシャフトに摺動可能に取り付けられて一平面上を往復移動すると共に、上記一平面に対して平行に配置される光ディスクの記録面の読み取りまたは書き込みの少なくとも一方を行う本体部と
を備え、
この本体部は、
上記各シャフトに接続する軸受け部を設けたハウジングと、
このハウジングに取り付けられた光学部品と
を有し、
少なくとも一つの上記シャフトに接続する上記軸受け部は、複数設けられ、
上記一平面に直交する方向からみて、上記本体部の重心は、全ての上記軸受け部の中心を外形を形成するように結んで形成された軸受け部領域の内側に、位置することを特徴としている。
【００１２】
この発明の光ピックアップ装置によれば、上記一平面に直交する方向からみて、上記本体部の重心は、全ての上記軸受け部の中心を外形を形成するように結んで形成された軸受け部領域の内側に、位置するので、上記本体部が上記シャフトを摺動するときに、上記全ての軸受け部に掛かる摩擦抵抗が略均等になり、上記本体部が円滑に摺動可能となって、上記光ディスクの記録面の読み取りや書き込みのスピードアップが図られる。
【００１３】
また、摩擦抵抗が上記全ての軸受け部において偏ることなく略均一になるため、長期間の使用によって上記全ての軸受け部が略均等に摩耗して、上記光ディスクの記録面（上記一平面）と上記本体部との平行度が、長期間経時変化することがなく、上記光ディスクの記録面の読み取りや書き込みの性能が、長期間良好に維持される。
【００１４】
また、一実施形態の光ピックアップ装置では、
上記シャフトは、二つ設けられ、
一方の上記シャフトに接続する上記軸受け部は、一つ設けられ、
他方の上記シャフトに接続する上記軸受け部は、二つ設けられている。
【００１５】
この実施形態の光ピックアップ装置によれば、上記シャフトは、二つ設けられ、一方の上記シャフトに接続する上記軸受け部は、一つ設けられ、他方の上記シャフトに接続する上記軸受け部は、二つ設けられているので、簡単な構成にできて、小型化を図ることができる。
【００１６】
また、一実施形態の光ピックアップ装置では、上記ハウジングには、上記本体部の重心を上記軸受け部領域の内側に位置するためのウエイト部が設けられている。
【００１７】
この実施形態の光ピックアップ装置によれば、上記ハウジングには、上記本体部の重心を上記軸受け部領域の内側に位置するためのウエイト部が設けられているので、簡単な構成にて、上記本体部の重心を上記軸受け部領域の内側に位置できる。
【００１８】
また、一実施形態の光ピックアップ装置では、上記ウエイト部は、上記ハウジングとは別体であり、上記ハウジングに取り付けられている。
【００１９】
この実施形態の光ピックアップ装置によれば、上記ウエイト部は、上記ハウジングとは別体であり、上記ハウジングに取り付けられているので、上記本体部の重心を、上記軸受け部領域の内側に、簡単に配置でき、また、既存のハウジングを利用できる。
【００２０】
また、一実施形態の光ピックアップ装置では、上記ウエイト部は、上記ハウジングと一体に連なって形成されている。
【００２１】
この実施形態の光ピックアップ装置によれば、上記ウエイト部は、上記ハウジングと一体に連なって形成されているので、上記ハウジングを容易に製造でき、また、上記ハウジングの耐久性を向上できる。
【００２２】
また、一実施形態の光ピックアップ装置では、上記ハウジングは、上記本体部の重心を上記軸受け部領域の内側に位置するような厚みを有する。
【００２３】
この実施形態の光ピックアップ装置によれば、上記ハウジングは、上記本体部の重心を上記軸受け部領域の内側に位置するような厚みを有するので、簡単な構成にて、上記本体部の重心を上記軸受け部領域の内側に位置できる。
【００２４】
また、この発明の電子機器は、上記光ピックアップ装置を有することを特徴としている。
【００２５】
この発明の電子機器によれば、上記光ピックアップ装置を有するので、長期使用による信頼性が確保できる。
【発明の効果】
【００２６】
この発明の光ピックアップ装置によれば、上記一平面に直交する方向からみて、上記本体部の重心は、全ての上記軸受け部の中心を外形を形成するように結んで形成された軸受け部領域の内側に、位置するので、上記本体部の摺動時の上記全ての軸受け部に掛かる摩擦抵抗を略均等にして、上記光ディスクの記録面と上記本体部との平行度の長期使用による変化を抑制して、上記光ディスクの記録面の読み取りや書き込みの性能を長期間良好に維持できる。
【００２７】
この発明の電子機器によれば、上記光ピックアップ装置を有するので、長期使用による信頼性が確保できる。
【発明を実施するための最良の形態】
【００２８】
以下、この発明を図示の実施の形態により詳細に説明する。
【００２９】
（第１の実施形態）
図１は、この発明の光ピックアップ装置の第１実施形態である簡略構成図を示している。この光ピックアップ装置は、互いに平行に配列された二本のシャフト８，８と、上記二本のシャフト８，８に摺動可能に取り付けられて一平面上を往復移動する本体部１とを備えている。この本体部１は、上記一平面に対して平行に配置される（図示しない）光ディスクの記録面の読み取りや書き込みを行う。
【００３０】
上記二本のシャフト８，８の間には、上記本体部１に隣接して、上記光ディスクを回転するモータ２が、配置されている。上記モータ２は、このモータ軸２ａが上記一平面に直交するように、配置されている。上記モータ２は、このモータ軸２ａを中心として、上記光ディスクを回転する。
【００３１】
上記本体部１は、上記各シャフト８に接続されたハウジング１０と、このハウジング１０に取り付けられた光学部品１１とを有している。
【００３２】
上記ハウジング１０には、上記光ディスクの記録面に対向するように、対物レンズ３が取り付けられている。この対物レンズ３は、上記一平面に直交する方向からみて、上記シャフト８の軸に平行に延在すると共に上記モータ軸２ａを通る直線上に、位置している。
【００３３】
そして、上記本体部１を上記モータ２に接近させることで、上記対物レンズ３を上記光ディスクの内周側に移動できて、上記光ディスクの内周側の読み取りや書き込みを行える。
【００３４】
上記ハウジング１０は、一方の上記シャフト８に接続する２つの主軸受け部１５，１５と、他方の上記シャフト８に接続する１つの副軸受け部１６とを有する。
【００３５】
上記ハウジング１０において、上記モータ２を避けるために、上記モータ２側の側面は、略半円形状に切り欠いて形成される一方、上記モータ２側の側面と反対側の側面は、上記光学部品１１や電装部品が挿入されている。
【００３６】
上記主軸受け部１５および上記副軸受け部１６は、機械的制約のために、上記本体部１の中心に対して、上記モータ２側へオフセットしている。上記主軸受け部１５および上記副軸受け部１６は、上記一平面と平行な同一平面上に位置している。
【００３７】
上記一平面に直交する方向からみて（紙面手前側からみて）、上記本体部１の重心Ｇ１は、全ての上記軸受け部１５，１６の中心を外形を形成するように結んで形成された（一点鎖線にて示す）軸受け部領域Ｚ１の内側に、位置している。
【００３８】
上記軸受け部１５，１６の中心は、上記一平面に直交する方向からみて、上記シャフト８の軸上に位置し、かつ、上記軸受け部１５，１６の上記シャフト軸方向の幅の中央に位置している。
【００３９】
上記本体部１の重心Ｇ１は、二つの上記主軸受け部１５，１５の中心を結ぶ直線の中点と、上記副軸受け部１６の中心とを、結ぶ直線の中点に、位置している。
【００４０】
具体的に述べると、図２に示すように、上記ハウジング１０には、上記本体部１の重心Ｇ１を上記軸受け部領域Ｚ１の内側に位置するためのウエイト部１７が設けられている。このウエイト部１７は、上記ハウジング１０とは別体であり、上記ハウジング１０に複数取り付けられている。
【００４１】
上記複数のウエイト部１７は、それぞれ、上記主軸受け部１５および上記副軸受け部１６側で、上記ハウジング１０の上記モータ２側の側面側に、配置されている。
【００４２】
上記構成の光ピックアップ装置によれば、上記一平面に直交する方向からみて、上記本体部１の重心Ｇ１は、全ての上記軸受け部１５，１６の中心を外形を形成するように結んで形成された軸受け部領域Ｚ１の内側に、位置するので、上記本体部１が上記シャフト８を摺動するときに、上記全ての軸受け部１５，１６に掛かる摩擦抵抗が略均等になり、上記本体部１が円滑に摺動可能となって、上記光ディスクの記録面の読み取りや書き込みのスピードアップが図られる。
【００４３】
また、摩擦抵抗が上記全ての軸受け部１５，１６において偏ることなく略均一になるため、長期間の使用によって上記全ての軸受け部１５，１６が略均等に摩耗して、上記光ディスクの記録面（上記一平面）と上記本体部１との平行度が、長期間経時変化することがなく、上記光ディスクの記録面の読み取りや書き込みの性能が、長期間良好に維持される。
【００４４】
また、上記シャフト８は、二つ設けられ、一方の上記シャフト８に接続する上記副軸受け部１６は、一つ設けられ、他方の上記シャフト８に接続する上記主軸受け部１５は、二つ設けられているので、簡単な構成にできて、小型化を図ることができる。
【００４５】
また、上記ハウジング１０には、上記本体部１の重心Ｇ１を上記軸受け部領域Ｚ１の内側に位置するためのウエイト部１７が設けられているので、簡単な構成にて、上記本体部１の重心Ｇ１を上記軸受け部領域Ｚ１の内側に位置できる。
【００４６】
また、上記ウエイト部１７は、上記ハウジング１０とは別体であり、上記ハウジング１０に取り付けられているので、上記本体部１の重心Ｇ１を、上記軸受け部領域Ｚ１の内側に、簡単に配置でき、また、既存のハウジングを利用できる。
【００４７】
（第２の実施形態）
図３は、この発明の光ピックアップ装置の第２の実施形態を示している。上記第１の実施形態と相違する点を説明すると、この第２の実施形態では、本体部のハウジングの構成が相違する。
【００４８】
つまり、図３に示すように、この第２の実施形態の本体部１Ａでは、上記第１の実施形態（図２）の本体部１のウエイト部１７を省いた代わりに、ハウジング１０Ａの厚みを変えている。なお、その他の構造は、上記第１の実施形態と同じであるため、その説明を省略する。
【００４９】
上記本体部１Ａの上記ハウジング１０Ａは、上記本体部１Ａの重心Ｇ１（図１参照）を軸受け部領域Ｚ１（図１参照）の内側に位置するような厚みを有する。
【００５０】
つまり、上記ハウジング１０Ａにおいて、モータ２側（図１参照）の側面の厚みｔ１は、上記モータ２側の側面と反対側の側面の厚みｔ２よりも、大きい。また、上記ハウジング１０Ａの厚みは、上記モータ２側の側面と反対側の側面から上記モータ２側の側面へ、次第に大きくなっている。
【００５１】
したがって、上記ハウジング１０Ａは、上記本体部１Ａの重心Ｇ１を上記軸受け部領域Ｚ１の内側に位置するような厚みを有するので、簡単な構成にて、上記本体部１Ａの重心Ｇ１を上記軸受け部領域Ｚ１の内側に位置できる。
【００５２】
図示しないが、この発明の電子機器は、上記第１の実施形態または上記第２の実施形態の上記光ピックアップ装置を有する。この電子機器としては、例えば、ＣＤ（コンパクトディスク）記録再生装置やＤＶＤ（デジタルバーサタイルディスク）記録再生装置等の光ディスク記録再生装置である。したがって、この発明の電子機器では、上記光ピックアップ装置を有するので、長期使用による信頼性が確保できる。
【００５３】
なお、この発明は上述の実施形態に限定されない。例えば、上記第１の実施形態において、上記ウエイト部１７は、上記ハウジング１０と一体に連なって形成されていてもよく、上記ハウジング１０を容易に製造でき、また、上記ハウジング１０の耐久性を向上できる。また、上記シャフトは、三つ以上設けられ、少なくとも一つの上記シャフトに接続する上記軸受け部は、複数設けられていてもよい。
【図面の簡単な説明】
【００５４】
【図１】本発明の光ピックアップ装置の第１実施形態を示す簡略構成図である。
【図２】本体部の平面図である。
【図３】本発明の光ピックアップ装置の第２実施形態を示すと共に本体部の側面図である。
【図４】従来の光ピックアップ装置を示す簡略構成図である。
【符号の説明】
【００５５】
１，１Ａ    本体部
１０，１０Ａ    ハウジング
１１    光学部品
１５    主軸受け部
１６    副軸受け部
１７    ウエイト部
２    モータ
２ａ    モータ軸
３    対物レンズ
８    シャフト
１０１    本体部
１０３    対物レンズ
１０５    主軸受け部
１０６    副軸受け部
１０８    シャフト
１１０    ハウジング
１１１    光学部品
Ｇ０，Ｇ１    重心
Ｚ０，Ｚ１    軸受け部領域
【図１】
2008181576.tif 000003
【図２】
2008181576.tif 000004
【図３】
2008181576.tif 000005
【図４】
2008181576.tif 000006